(57)【要約】【課題】バックアップ用のネットワーク回路を有するマザーボードを提供する。【解決手段】マザーボードは、通常使用するネットワーク回路以外に、更に、少なくとも一つのバックアップ用のネットワーク回路を有する。当該マザーボードは、第一および第二ネットワーク回路と、ネットワーク接続ポートと、スイッチ回路と、ドライバとを備える。スイッチ回路は、第一、或いは、第二ネットワーク回路をネットワーク接続ポートに接続する。ドライバは、ネットワーク接続ポートと第一ネットワーク回路の状況に基づいて、スイッチ回路を切り換える。【選択図】図１
2010200143.tif 000002
【特許請求の範囲】
【請求項１】
バックアップ用のネットワーク回路を有するマザーボードであって、
第一ネットワーク回路と、
第二ネットワーク回路と、
第一ネットワーク接続ポートと、
前記第一、或いは、前記第二ネットワーク回路を前記第一ネットワーク接続ポートに接続するスイッチ回路と、
前記ネットワーク接続ポートと前記第一ネットワーク回路の状況に基づいて、前記スイッチ回路を切り換えるドライバと、
を備えることを特徴とするバックアップ用のネットワーク回路を有するマザーボード。
【請求項２】
前記スイッチ回路の通常設定は、前記第一ネットワーク回路を前記第一ネットワーク接続ポートに接続することを特徴とする請求項１に記載のバックアップ用のネットワーク回路を有するマザーボード。
【請求項３】
前記ドライバは、前記ネットワーク接続ポートがネットワークシステムに接続した状態で、前記第一ネットワーク回路が前記ネットワークシステムに応答しない時、前記スイッチ回路を前記通常設定からバックアップ設定に切り替えることを特徴とし、
前記バックアップ設定では、前記スイッチ回路が前記第二ネットワーク回路と前記第一ネットワーク接続ポートとを接続することを特徴とする請求項２に記載のバックアップ用のネットワーク回路を有するマザーボード。
【請求項４】
前記ドライバは更に、前記スイッチ回路が前記バックアップ設定に切り換わった後、前記第二ネットワーク回路を検出し、前記第二ネットワーク回路が前記ネットワークシステムに応答しない時、前記スイッチ回路を通常設定に戻し、且つ、前記第二ネットワーク回路が前記ネットワークシステムに応答する時、前記スイッチ回路を前記バックアップ設定で維持することを特徴とする請求項３に記載のバックアップ用のネットワーク回路を有するマザーボード。
【請求項５】
第二ネットワーク接続ポートをさらに備え、
前記スイッチ回路は更に、前記第一、或いは、第二ネットワーク回路を前記第二ネットワーク接続ポートに接続することを特徴とする請求項１に記載のバックアップ用のネットワーク回路を有するマザーボード。
【請求項６】
前記スイッチ回路の通常設定は前記第一ネットワーク回路を前記第一ネットワーク接続ポートに接続し、且つ、前記第二ネットワーク回路を前記第二ネットワーク接続ポートに接続することを特徴とする請求項５に記載のバックアップ用のネットワーク回路を有するマザーボード。
【請求項７】
前記ドライバは、前記第一ネットワーク接続ポートが第一ネットワークシステムに接続し、且つ前記第二ネットワーク接続ポートがいかなるネットワークシステムにも接続していない状態で、前記第一ネットワーク回路が前記第一ネットワークシステムに応答しない時、前記スイッチ回路を前記常態設定から第一バックアップ設定に切り換ることを特徴とし、
前記第一バックアップ設定では、前記スイッチ回路が前記第二ネットワーク回路と前記第一ネットワーク接続ポートとを接続することを特徴とする請求項６に記載のバックアップ用のネットワーク回路を有するマザーボード。
【請求項８】
前記ドライバは更に、前記スイッチ回路が前記第一バックアップ設定に切り換わった後、前記第二ネットワーク回路を検出し、前記第二ネットワーク回路が前記第一ネットワークシステムに応答しない時、前記スイッチ回路を前記通常設定に戻し、且つ、前記第二ネットワーク回路が前記第一ネットワークシステムに応答する時、前記スイッチ回路に前記第一バックアップ設定を維持させることを特徴とする請求項７に記載のバックアップ用のネットワーク回路を有するマザーボード。
【請求項９】
前記ドライバは更に、前記第二ネットワーク接続ポートに状態に基づいて、前記スイッチ回路を制御することを特徴とする請求項７に記載のバックアップ用のネットワーク回路を有するマザーボード。
【請求項１０】
前記ドライバは、前記第一ネットワーク接続ポートがいかなるネットワークシステムも接続せず、前記第二ネットワークシステムが第二ネットワークシステムを接続した状態で、前記第二ネットワーク回路が前記ネットワークシステムに応答しない時、前記スイッチ回路を前記常態設定から第二バックアップ設定に切り換えることを特徴とし、
前記第二バックアップ設定では、前記スイッチ回路は前記第一ネットワーク回路と前記第二ネットワーク接続ポートとを接続することを特徴とする請求項９に記載のバックアップ用のネットワーク回路を有するマザーボード。
【請求項１１】
前記ドライバは更に、前記スイッチ回路が前記第二バックアップ設定に切り換わった後、前記第一ネットワーク回路を検出し、前記第一ネットワーク回路が前記第二ネットワークシステムに応答しない時、前記スイッチ回路を前記常態設定に戻し、且つ、前記第一ネットワーク回路が前記第二ネットワークシステムに応答する時、前記スイッチ回路に前記第二バックアップ設定を維持させることを特徴とする請求項１０に記載のバックアップ用のネットワーク回路を有するマザーボード。
【発明の詳細な説明】
【技術分野】
【０００１】
本発明は、マザーボード（motherboard）に関し、特に、バックアップ用のネットワーク回路を有するマザーボードに関する。
【背景技術】
【０００２】
マザーボードは、オンボード（onboard）搭載、或いは、カード挿入式でネットワーク回路に結合して、ネットワークインターフェースを提供する。しかし、インターネット回路は常に瞬間大電圧や大電流に見舞われ、損壊しやすい。頻繁なメンテナンスはメーカーの資源の浪費だけでなく、クライアントにとっても不便である。
【発明の概要】
【発明が解決しようとする課題】
【０００３】
本発明は、通常使用するネットワーク回路以外に、更に、少なくとも一つのバックアップ用のネットワーク回路を有するマザーボードを提供することを目的とする。
【課題を解決するための手段】
【０００４】
本発明のマザーボードは、第一および第二ネットワーク回路と、ネットワーク接続ポートと、スイッチ回路と、ドライバとを備える。スイッチ回路は、第一、或いは、第二ネットワーク回路をネットワーク接続ポートに接続する。ドライバは、ネットワーク接続ポートと第一ネットワーク回路の状況に基づいて、スイッチ回路を切り換える。スイッチ回路は、通常設定下で、第一ネットワーク回路をネットワーク接続ポートに接続する。ネットワーク接続ポートはネットワークシステムに接続しているが、第一ネットワーク回路がネットワークシステムに応答しない時、ドライバがスイッチ回路を通常設定からバックアップ設定に切り換え、第二ネットワーク回路によりネットワーク接続ポートに結合して、ネットワーク通信を実現する。
【発明の効果】
【０００５】
本発明のマザーボードは、通常使用するネットワーク回路以外に、更に、少なくとも一つのバックアップ用のネットワーク回路を有するので、第一ネットワーク回路がネットワークシステムに応答しない時、ドライバがスイッチ回路を通常設定からバックアップ設定に切り換え、第二ネットワーク回路がネットワーク接続ポートに結合して、ネットワーク通信を実現することができる。
【図面の簡単な説明】
【０００６】
【図１】本発明の実施例１のマザーボードを示す図である。
【図２】本発明の実施例２のマザーボードを示す図である。
【発明を実施するための形態】
【実施例１】
【０００７】
図１は、本発明のマザーボードの実施例１を示す図である。マザーボード１００は、第一ネットワーク回路１０２と、第二ネットワーク回路１０４と、ネットワーク接続ポート１０６と、スイッチ回路１０８と、ドライバ１１０と、を備える。スイッチ回路１０８はドライバ１１０により切り換えられ、第一、或いは、第二ネットワーク回路１０２、１０４をネットワーク接続ポート１０６に接続する。通常設定下で、スイッチ回路１０８は、第一ネットワーク回路１０２をネットワーク接続ポート１０６に接続する。通常設定下で、第一ネットワーク回路１０２は、マザーボード１００のネットワーク通信機能を実行する。
【０００８】
ドライバ１１０は、ネットワーク接続ポート１０６と第一ネットワーク回路１０２の状況に基づいて、スイッチ回路１０８を切り換えるかどうかを決定する。例えば、ネットワーク接続ポート１０６がネットワークシステム１１２と接続し、且つ、第一ネットワーク回路１０２がネットワークシステム１１２と正常に通信できる場合、ドライバ１１０は、マザーボード１００のネットワーク機能が正常であると判断し、スイッチ回路１０８に通常設定を維持させる。
【０００９】
一方、ネットワーク接続ポート１０６がネットワークシステム１１２を接続しているが、第一ネットワーク回路１０２がネットワークシステム１１２に応答できない場合、ドライバ１１０は、ネットワーク機能に障害が生じたと判断し、スイッチ回路１０８を、通常設定からバックアップ設定に切り換える。バックアップ設定下では、スイッチ回路１０８は、第二ネットワーク回路１０４を第一ネットワーク回路１０２の代わりにネットワーク接続ポート１０６に接続させる。その結果、第二ネットワーク回路１０４が第一ネットワーク回路１０２を代替して、マザーボード１００のネットワーク通信機能を実現する。
【００１０】
上述の動作以外に、ドライバ１１０は、更に、第二ネットワーク回路１０４と通信することができる。一実施形態では、ドライバ１１０は、更に、スイッチ回路１０８がバックアップ設定に切り換えた後、第二ネットワーク回路１０４の状態を検出して、ネットワーク障害のソースを判断する。第二ネットワーク回路１０４もネットワークシステム１１２に応答しない場合、ネットワークシステム１１２に障害が発生した可能性があり、第一ネットワーク回路１０２が故障していない推測できる。この時は、ドライバ１１０はスイッチ回路１０８を上述の通常設定に戻す。すなわち、マザーボード１００は、第一ネットワーク回路１０２によりネットワーク通信機能を実行する。また、スイッチ回路１０８がバックアップ設定に切り換えた後、ネットワークが正常に回復する場合、第一ネットワーク回路１０２が故障していることを意味する。この時、ドライバ１１０は、スイッチ回路１０８がその後の使用はバックアップ設定で行うように、バックアップ設定を固定し、第二ネットワーク回路１０４を第一ネットワーク回路１０２に代替して、マザーボード１００のネットワーク通信機能を達成させる。
【００１１】
本発明のマザーボード上のネットワーク回路の数量は２に限定されるものではないことに留意されたい。本発明のマザーボードのその他の実施例では、２以上のバックアップ用のネットワーク回路を有してよい。本来使用していたネットワーク回路が一旦故障すると、すぐに、バックアップ用のネットワーク回路から一つを選択して補う。
【実施例２】
【００１２】
図２は、本発明のマザーボードの実施例２を示す図である。マザーボード２００は、第一ネットワーク回路２０２と、第二ネットワーク回路２０４と、第一ネットワーク接続ポート２０６と、第二ネットワーク接続ポート２０８と、スイッチ回路２１０と、ドライバ２１２と、を備える。スイッチ回路２１０はドライバ２１２により制御され、第一、或いは、第二ネットワーク回路２０２、２０４を第一、第二ネットワーク接続ポート２０６、２０８に接続する。通常設定下では、スイッチ回路２１０は、第一、第二ネットワーク回路２０２、２０４を、それぞれ、第一、第二ネットワーク接続ポート２０６、２０８に接続する。この通常設定はダブルネットワーク構造を構成し、マザーボード２００は、二個のネットワークシステム（図中では、第一ネットワークシステム２１４と第二ネットワークシステム２１６）に接続することができる。
【００１３】
第一、第二ネットワーク接続ポート２０６、２０８は、信号Ｃ１とＣ２により、ネットワークシステムと接続しているかどうかを示す。ドライバ２１２は信号Ｃ１とＣ２を受信して、第一、第二ネットワーク接続ポート２０６と２０８とネットワークシステムの接続状況を知ることができる。
【００１４】
スイッチ回路２１０は第一バックアップ設定を有し、以下ではその操作を説明する。
スイッチ回路２１０が上述の通常設定にあり、第一ネットワーク接続ポート２０６がネットワークシステム（例えば、第一ネットワークシステム２１４）に接続し、且つ、第二ネットワーク接続ポート２０８が如何なるネットワークシステムにも接続しない。この状況で、もし、第一ネットワーク回路２０２が正常に第一ネットワークシステム２１４と通信できない場合、ドライバ２１２はスイッチ回路２１０を第一バックアップ設定に切り換える。第一バックアップ設定下では、第一ネットワーク回路２０２は第一ネットワーク接続ポート２０６と切断され、第二ネットワーク回路２０４が第一ネットワーク接続ポート２０６に接続して第一ネットワークシステム２１４と通信する。
【００１５】
一実施形態において、ドライバ２１２は、更に、スイッチ回路２１０が通常設定から第一バックアップ設定に切り換わった後、第二ネットワーク回路２０４の状態を検出して、ネットワーク障害のソースを判断する。第二ネットワーク回路２０４も第一ネットワークシステム２１４に応答しない場合、第一ネットワーク回路２１４が障害を発生した可能性があり、第一ネットワーク回路２０２は故障していないと考えられる。この時、ドライバ２１２はスイッチ回路２１０を上述の通常設定に戻し、第一、第二ネットワーク回路２０２、２０４は、それぞれ、第一、第二ネットワーク接続ポート２０６、２０８に接続する。
【００１６】
一方、スイッチ回路２１０が、通常設定から第一バックアップ設定に切り換わった後、ネットワークが正常に回復した場合、第一ネットワーク回路２０２が故障していることを示す。ドライバ２１２は、第一ネットワーク回路２０２ではなく、スイッチ回路２１０に、その後、第二ネットワーク回路２０４によりマザーボード２００のネットワーク通信を実行させる。
【００１７】
スイッチ回路２１０は、更に、第二バックアップ設定を有し、以下でその操作を説明する。
スイッチ回路２１０が上述の通常設定にあり、第一ネットワーク接続ポート２０６が如何なるネットワークシステムも接続せず、且つ、第二ネットワーク接続ポート２０８がネットワークシステム（図のように、第二ネットワークシステム２１６）に接続している。この状況下で、もし、第二ネットワーク回路２０４が正常に第二ネットワークシステム２１６と通信できない場合、ドライバ２１２はスイッチ回路２１０を第二バックアップ設定に切り換える。
【００１８】
第二バックアップ設定下では、第二ネットワーク回路２０４と第二ネットワーク接続ポート２０８との間の接続を切断し、第一ネットワーク回路２０２を第二ネットワーク接続ポート２０８に接続して第二ネットワークシステム２１６と通信する。
【００１９】
一実施形態において、ドライバ２１２は、更に、スイッチ回路２１０が通常設定から第二バックアップ設定に切り換わった後、第一ネットワーク回路２０２の状態を検出して、ネットワーク障害のソースを判断する。第一ネットワーク回路２０２も第二ネットワークシステム２１６に応答しない場合、第二ネットワーク回路２１６が障害を発生した可能性があり、その場合には第二ネットワーク回路２０４が故障していないと考えられる。この時、ドライバ２１２はスイッチ回路２１０を上述の通常設定に戻し、第一、第二ネットワーク回路２０２、２０４は、それぞれ、第一、第二ネットワーク接続ポート２０６、２０８と接続する。
【００２０】
一方、スイッチ回路２１０が、通常設定から第二バックアップ設定に切り換わった後、ネットワークがすぐに正常に回復した場合、第二ネットワーク回路２０４が故障していることを示す。ドライバ２１２は、第二ネットワーク回路２０４ではなく、スイッチ回路２１０に、その後、第一ネットワーク回路２０２によりマザーボード２００のネットワーク通信を実現させる。
【００２１】
図２で示される実施例において、二組のネットワーク回路、接続ポートを用いているが、本発明はこれに限定されるものではないことに留意されたい。本発明のマザーボードのその他の実施例は、三組以上のマルチネットワーク構造により本発明のバックアップ技術を実現することができる。ドライバはネットワークの操作状況に基づいて、スイッチ回路を切り換え、ネットワーク回路とネットワーク接続ポート間の接続を切り換える。故障したネットワーク回路は、その他のアイドル状態のネットワーク回路により代替することができる。
【００２２】
本発明が使用する全てのネットワーク回路はマザーボード上に搭載されることに制限されず、その他の型式（カード挿入式等）のネットワーク回路も本発明のネットワーク回路を実現することができる。例えば、本発明のマザーボード上のネットワーク回路は、皆、マザーボード上に搭載されるか、或いは、全てがカード挿入式、または、一部がマザーボード上に搭載され、一部がカード挿入式である。
【００２３】
本発明が使用するネットワーク通信技術は有線技術に制限されず、その他の技術（ブルートゥース、ワイヤレス等）も本発明のマザーボードに用いることができる。例えば、ワイヤレス通信技術を採用する時、ネットワーク接続ポートはアンテナにより実現できる。
【００２４】
本発明では好ましい実施例を前述の通り開示したが、これらは決して本発明を限定するものではなく、当該技術分野における通常の知識を有する者なら誰でも、本発明の趣旨と範囲内で各種の変更や変形を加えることができ、従って本発明の保護範囲は、特許請求の範囲で指定した内容を基準とする。
【符号の説明】
【００２５】
１００  マザーボード
１０２  第一ネットワーク回路
１０４  第二ネットワーク回路
１０６  ネットワーク接続ポート
１０８  スイッチ回路
１１０  ドライバ
１１２  ネットワークシステム
２００  マザーボード
２０２  第一ネットワーク回路
２０４  第二ネットワーク回路
２０６  第一ネットワーク接続ポート
２０８  第一ネットワーク接続ポート
２１０  スイッチ回路
２１２  ドライバ
２１４  第一ネットワークシステム
２１６  第二ネットワークシステム
Ｃ１，Ｃ２  信号
【図１】
2010200143.tif 000003
【図２】
2010200143.tif 000004